(57)【要約】  本発明は生体の身体活動の総時間を調節する方法、システム及びコンピュータプログラム製品を提供する。身体活動は身体活動パラメータに基づいて評価される。本発明は身体活動パラメータに対応するターゲット情報（Ｓ１）；複数の分散時間間隔の合計である総時間（Ｓ２）；及び生体の身体活動パラメータ情報を受信することを含む。身体活動パラメータ情報は各分散時間間隔について受信される（Ｓ４）。その後、受信された身体活動パラメータ情報とターゲット情報に基づいて対応する分散時間間隔が修正される（Ｓ５）。続いて、修正された分散時間間隔と受信された総時間に基づいて身体活動の新たな総時間（Ｓ８）が決定される。
2018505719.tif 000002
【特許請求の範囲】
【請求項１】
生体の身体活動の総時間を調節するための方法であって、前記総時間は事前に規定され、前記身体活動は身体活動パラメータに基づいて評価される、方法において、
前記身体活動パラメータに対応するターゲット情報を受信するステップと、
複数の分散時間間隔の合計である、前記総時間を受信するステップと、
各分散時間間隔について受信される、前記生体の身体活動パラメータ情報を受信するステップと、
受信された前記身体活動パラメータ情報と前記ターゲット情報に基づいて対応する分散時間間隔を修正するステップであって、前記対応する分散時間間隔は受信された前記身体活動パラメータ情報が前記ターゲット情報から逸脱する場合に修正される、ステップと、
修正された分散時間間隔と受信された総時間に基づいて前記身体活動の新たな総時間を決定するステップと、
を有する方法。
【請求項２】
前記分散時間間隔が、前記ターゲット情報と受信された前記身体活動パラメータ情報との差に比例して修正される、請求項１に記載の方法。
【請求項３】
前記身体活動パラメータに対応するゾーンを受信するステップをさらに有し、前記ゾーンの下限と上限はそれぞれ最小身体活動パラメータ閾値と最大身体活動パラメータ閾値により定義され、前記対応する分散時間間隔は受信された前記身体活動パラメータ情報が前記ゾーン内にある場合に修正される、請求項１に記載の方法。
【請求項４】
前記身体活動パラメータに対応するゾーンを決定するステップをさらに有し、前記ゾーンの下限と上限は前記ターゲット情報と前記ターゲット情報に対応する既定の数学的範囲に基づいて決定され、前記対応する分散時間間隔は受信された前記身体活動パラメータ情報が前記ゾーン内にある場合に修正される、請求項１に記載の方法。
【請求項５】
前記身体活動パラメータに対応するゾーンを受信するステップをさらに有し、前記ゾーンの下限と上限はそれぞれ最小身体活動パラメータ閾値と最大身体活動パラメータ閾値により定義され、受信された前記身体活動パラメータ情報が前記ゾーン内にある場合に修正された前記分散時間間隔が新たな総時間を決定するために考慮される、請求項１に記載の方法。
【請求項６】
前記身体活動パラメータに対応するゾーンを決定するステップをさらに有し、前記ゾーンの下限と上限は前記ターゲット情報と前記ターゲット情報に対応する既定の数学的範囲に基づいて決定され、受信された前記身体活動パラメータ情報が前記ゾーン内にある場合に修正された前記分散時間間隔が新たな総時間を決定するために考慮される、請求項１に記載の方法。
【請求項７】
前記分散時間間隔が均等に分布し、好適には均等に分布する時間間隔が０．５〜５秒の長さを持つ、請求項１から６のいずれか一項に記載の方法。
【請求項８】
前記身体活動に対応する前記身体活動パラメータを選択するステップをさらに有する、請求項１に記載の方法。
【請求項９】
生体の身体活動の総時間を調節するためのシステムであって、前記総時間は事前に規定され、前記身体活動は身体活動パラメータに基づいて評価される、システムであって、
ａ．インターフェースであって、
ｉ．前記身体活動パラメータに対応するターゲット情報を受信し、
ｉｉ．複数の分散時間間隔の合計である、前記総時間を受信するための
インターフェースと、
ｂ．各分散時間間隔について検出される、前記生体の身体活動パラメータ情報を検出するための少なくとも一つのセンサと、
ｃ．処理ユニットであって、
ｉ．検出された前記身体活動パラメータ情報と前記ターゲット情報に基づいて対応する分散時間間隔を修正し、検出された前記身体活動パラメータ情報が前記ターゲット情報から逸脱する場合に前記対応する分散時間間隔が修正され、
ｉｉ．修正された分散時間間隔と受信された総時間に基づいて前記身体活動の新たな総時間を決定する
ための処理ユニットと
を有する、システム。
【請求項１０】
前記処理ユニットが、前記ターゲット情報と受信された前記身体活動パラメータ情報の差に比例して前記分散時間間隔を修正するように構成される、請求項９に記載のシステム。
【請求項１１】
前記インターフェースが前記身体活動パラメータに対応するゾーンを受信するようにさらに構成され、前記ゾーンの下限と上限がそれぞれ最小身体活動パラメータ閾値と最大身体活動パラメータ閾値により定義され、前記処理ユニットは受信された前記身体活動パラメータ情報が前記ゾーン内にある場合に前記分散時間間隔を修正する、請求項９に記載のシステム。
【請求項１２】
前記処理ユニットが前記身体活動パラメータに対応するゾーンを決定するようにさらに構成され、前記ゾーンの下限と上限が前記ターゲット情報と前記ターゲット情報に対応する既定の数学的範囲に基づいて決定され、前記処理ユニットは受信された前記身体活動パラメータ情報が前記ゾーン内にある場合に前記分散時間間隔を修正する、請求項９に記載のシステム。
【請求項１３】
さらに前記身体活動に対応する前記身体活動パラメータの選択を可能にする、請求項９に記載のシステム。
【請求項１４】
コンピュータにより実行されるときに、生体の身体活動の総時間を調節させる、コンピュータ可読プログラムコードが具体化されたコンピュータプログラム製品であって、前記総時間は事前に規定され、前記身体活動は身体活動パラメータに基づいて評価され、前記調節は、
ａ．前記身体活動パラメータに対応するターゲット情報を受信することと、
ｂ．複数の分散時間間隔の合計である、前記総時間を受信することと、
ｃ．各分散時間間隔について受信される、前記生体の身体活動パラメータ情報を受信することと、
ｄ．受信された前記身体活動パラメータ情報と前記ターゲット情報に基づいて対応する分散時間間隔を修正することであって、前記対応する分散時間間隔は受信された前記身体活動パラメータ情報が前記ターゲット情報から逸脱する場合に修正される、ことと、
ｅ．修正された分散時間間隔と受信された総時間に基づいて前記身体活動の新たな総時間を決定することと
を有する、コンピュータプログラム製品。
【請求項１５】
請求項２‐５及び７のいずれか一項に記載の方法を実行するためのプログラムコードをさらに有する、請求項１４に記載のコンピュータプログラム製品。
【発明の詳細な説明】
【技術分野】
【０００１】
本発明は人などの生体の身体活動の総時間を調節するための方法とシステムに関する。本発明はさらに、人の身体活動の総時間を調節するためのコンピュータプログラム製品に関する。
【背景技術】
【０００２】
身体活動／運動の重要性は十分に確立されている。人は今日のペースの速い生活においてその健康を維持したいと考える。健康維持の手段の一つは定期的に身体活動を行うことである。身体活動の様々な例は、ランニング、ジョギング、ジムでのワークアウトなどを含むがそれらに限定されない。身体活動を行うユーザのパフォーマンスは、人と関連する様々な身体活動パラメータに基づいて測定され得ることが周知である。これらパラメータの様々な例は、心拍数（ＨＲ）、脈拍数、酸素消費量、パワーなどを含むがそれらに限定されない。典型的に、これらのパラメータは身体活動に対応する規定時間、例えば３０分間モニタリングされる。さらに、ＨＲなどの身体活動パラメータ情報が維持されるべきゾーンも指示する、様々な健康の専門家により確立されるガイドラインもある。例えば、ユーザは心拍数を９０‐１１０拍／分（ｂｐｍ）に維持するようアドバイスされ得る。
【０００３】
当技術分野で現在利用可能なソリューションは、ユーザが運動時間中にＨＲをゾーン内に維持することができたかどうかをユーザが理解することを助ける。しかしながら、動作原理は効率的でない。ＷＯ２００８／００３８３０Ａ１は、心拍数ゾーンなど、特定強度での運動時間が、心拍数などのパフォーマンスパラメータに基づいて変更され得る方法を開示する。運動時間はパフォーマンスパラメータに基づいて変更される。さらに、規定範囲が運動時間に追加若しくは減算される。従って、運動が３０分間である場合、２４若しくは３６（＋／−６分）になり得る。かかる方法の欠点は、人が所望の強度の自分の上限に非常に近づくか、又は強度のより低レベルに非常に近づき得るが、人が強度に対する規定閾値以上／以下になるまで、及びならない限り、規定範囲が運動時間に追加されないことである。従って、運動時間は動的であるが、人は依然として所望の時間以上／以下運動するという結果になり得る。
【発明の概要】
【発明が解決しようとする課題】
【０００４】
人の身体活動の総時間を調節するための改良された方法、システム、及び改良された方法を実施するためのコンピュータプログラム製品を提供することが本発明の目的である。
【課題を解決するための手段】
【０００５】
本発明の第一の態様によれば、この目的は生体の身体活動の総時間を調節するための方法により実現され、総時間は事前に規定され、身体活動は身体活動パラメータに基づいて評価され、当該方法は、身体活動パラメータに対応するターゲット情報を受信するステップ；総時間を受信するステップ、総時間は複数の分散時間間隔の合計である；生体の身体活動パラメータ情報を受信するステップ、身体活動パラメータ情報は各分散時間間隔について受信される；受信された身体活動パラメータ情報とターゲット情報に基づいて対応する分散時間間隔を修正するステップ、対応する分散時間間隔は、受信された身体活動パラメータ情報がターゲット情報から逸脱する場合に修正される；修正された分散時間間隔と受信された総時間に基づいて身体活動の新たな総時間を決定するステップを有する。
【０００６】
上記方法は既存の方法に勝る複数の利点を提供する。第一に、総時間が変更され得ることは、ユーザがトレーニング過剰／不足にならないという利点を提供する。総時間は人が運動している最中／間に修正される。第二に、各分散時間間隔を修正することにより総時間の修正が実行されるので、方法は精密で正確である。身体活動パラメータの様々な例は、心拍数、脈拍数、酸素消費量、呼吸数、速度、及びパワーを含むがそれらに限定されない。
【０００７】
本発明のさらなる実施形態では、ターゲット情報と受信された身体活動パラメータ情報との差に比例して時間間隔が修正される。
【０００８】
本発明の好適な実施形態において、時間間隔は１秒など、均等に分布する。言い換えれば、総時間を修正する前に各秒が評価される。このように、後続の修正された時間はより正確であり、従ってエンドユーザに有益である。上記実施例は１秒を挙げるが、他の均等分布する時間間隔は０．５〜５秒であり得る。
【０００９】
本発明はさらに、一実施形態において、身体活動パラメータに対応するゾーンを受信するステップを含み、ゾーンの下限と上限はそれぞれ最小身体活動パラメータ閾値と最大身体活動パラメータ閾値により定義される。例えば、心拍数ゾーン：８０‐１１０拍／分（ｂｐｍ）。
【００１０】
本発明の別の実施形態において、身体活動パラメータに対応するゾーンが決定され得る。ゾーンが決定若しくは受信される、これら現実施形態において、対応する分散時間間隔は受信された身体活動パラメータ情報がゾーン内にある場合に修正される。これは特定ゾーンにおけるユーザのパフォーマンスを評価するために特に有利である。人が推奨ゾーン外で、すなわち最大閾値以上若しくは最小閾値未満のいずれかで運動している場合、対応する総時間は変更されない。従ってかかるチェックはユーザが推奨ゾーン内で運動することを保証するのに役立つ。
【００１１】
さらに、なお別の実施形態では、分散時間間隔が修正されるが、これは受信された身体活動パラメータ情報がゾーン内である場合にのみ総時間を修正するために考慮される。本質的に、これは前段落で説明したものと同じ利点を提供する。
【００１２】
別の実施形態は、利便性を増すために、ユーザが身体活動について評価させたい身体活動パラメータを選択するオプションもユーザへ提供する。例えば、ユーザは運動をＨＲ若しくは速度に基づいて評価させたいかもしれない。方法はさらに、例えば表示することにより新たな総時間をユーザへ提供する。本発明の一実施形態において、上記方法はコンピュータ実装される。
【００１３】
本発明の第二の態様によれば、生体の身体活動の総時間を調節するためのシステムが提供され、総時間は事前に規定され、身体活動は身体活動パラメータに基づいて評価される。システムは、
ｉ．身体活動パラメータに対応するターゲット情報を受信し、
ｉｉ．複数の分散時間間隔の合計である、総時間を受信する
ためのインターフェース：
生体の身体活動パラメータ情報を検出するための少なくとも一つのセンサ、身体活動パラメータ情報は各分散時間間隔について検出される：
ｉ．検出された身体活動パラメータ情報とターゲット情報に基づいて対応する分散時間間隔を修正し、対応する分散時間間隔は、検出された身体活動パラメータ情報がターゲット情報から逸脱する場合に修正される、
ｉｉ．修正された分散時間間隔と受信された総時間に基づいて身体活動の新たな総時間を決定する
ための処理ユニット
を有する。
【００１４】
本発明のさらなる実施形態において、処理ユニットはターゲット情報と受信された身体活動パラメータ情報との差に比例して対応する分散時間間隔を修正する。
【００１５】
一実施形態において、インターフェースはさらに身体活動パラメータに対応するゾーンを受信するように構成される。さらに、ゾーンの下限と上限がそれぞれ最小身体活動パラメータ閾値と最大身体活動パラメータ閾値により定義される。
【００１６】
一実施形態において、処理ユニットはさらに身体活動パラメータに対応するゾーンを決定するように構成され、ゾーンの下限と上限がターゲット情報とターゲット情報に対応する既定の数学的範囲に基づいて決定される。
【００１７】
本発明の一実施形態において、処理ユニットは受信された身体活動パラメータ情報がゾーンである場合に分散時間間隔を修正する。
【００１８】
システムは、好適にはインターフェースにより、ユーザが身体活動に対応する身体活動パラメータを選択することも可能にする。インターフェースの様々な例は、グラフィカルユーザインターフェース（ＧＵＩ）、タッチスクリーン、プッシュボタンなどを含むがそれらに限定されない。身体活動パラメータの様々な例は、心拍数、脈拍数、酸素消費量、呼吸数、速度、及びパワーを含むがそれらに限定されない。
【００１９】
一実施形態において、システムは生体へ新たな総時間を提供する情報ユニットをさらに含む。本発明の一実施形態において、情報ユニットはディスプレイユニット若しくはオーディオユニット若しくは触覚ユニット若しくはその組み合わせのうち一つであり得る。
【００２０】
上記システムは、例えば手首、胸部などに装着可能なウェアラブルデバイスに統合され得る。従って、修正された／新たな総時間の測定及び計算全てがウェアラブルデバイスで実行される。
【００２１】
代替実施形態において、（上記）システムは二つ以上のモジュールに分割され得る。一実施形態において、ウェアラブルデバイスはターゲット情報と総時間を受信し、同時にユーザの身体活動パラメータ情報を測定することのみが可能である。その後、情報の処理と、新たな総時間を決定するための分散時間間隔の事後計算はリモートサーバにより実行され得る。この実施形態においてリモートサーバはネットワーク、好適には無線ネットワークを通じてウェアラブルデバイスと常時接続し得る。その後、ウェアラブルデバイスは内蔵情報ユニットを通じてユーザへ情報／新たな総時間を提供し得る。
【００２２】
第二の実施形態において、サーバの機能はモバイルデバイスなどの無線通信デバイスにより置き換えられ得る。従って、無線通信デバイスは総時間の計算を実行するためにウェアラブルデバイスから測定結果を受信し得る。その後この情報はモバイルデバイス上若しくはウェアラブルデバイス上に表示され得る。
【００２３】
第三の実施形態において、（上記）システムは独立して無線通信デバイスに統合され得る。ユーザが例えばそれぞれアームバンド／リストバンドを用いて腕／手首に無線通信デバイスをストラップで取り付けることを可能にする市販の様々なストラップ／バンドがある。本発明のなお別の実施形態において、システムはトレッドミルなどの運動ユニットに統合され得る。
【００２４】
本発明の第三の態様によれば、コンピュータプログラム製品が提供される。コンピュータ可読プログラムコードが具体化されたコンピュータプログラム製品は、コンピュータにより実行される時、生体の身体活動の総時間を調節させ、総時間は事前に規定され、身体活動は身体活動パラメータに基づいて評価され、調節は、身体活動パラメータに対応するターゲット情報を受信すること；総時間を受信すること、総時間は複数の分散時間間隔の合計である；生体の身体活動パラメータ情報を受信すること、身体活動パラメータ情報は各分散時間間隔について受信される；受信された身体活動パラメータ情報とターゲット情報に基づいて対応する分散時間間隔を修正すること、対応する分散時間間隔は、受信された身体活動パラメータ情報がターゲット情報から逸脱する場合に修正される；修正された分散時間間隔と受信された総時間に基づいて身体活動の新たな総時間を決定することを有する。身体活動パラメータの様々な例は、心拍数、脈拍数、酸素消費量、呼吸数、速度、及びパワーを含むがそれらに限定されない。
【００２５】
本発明の好適な実施形態は従属請求項で定義される。請求される方法、システム、コンピュータプログラム製品は、請求される方法及び従属請求項の定義と同様及び／又は同一の好適な実施形態を持つことが理解されるものとする。
【００２６】
本発明のこれらの及び他の態様は、以降に記載の実施例と実施形態を参照して、並びに単により一般概念を例示する非限定的な具体例となる添付の図面を参照して解明される。
【図面の簡単な説明】
【００２７】
【図１】本発明にかかる、生体の身体活動の総時間を調節するための方法を示す。
【図２】本発明の一実施形態にかかる、調節された総時間の決定を描く表を示す。
【図３】本発明の実施形態について受信されたＨＲ情報のグラフを示す。
【図４】本発明にかかる生体の身体活動の総時間を調節するためのシステムを示す。
【図５】本発明の一実施形態にかかるウェアラブルデバイスとしてのシステムの実施例を示す。
【図６】ウェアラブルデバイスと無線通信デバイスを有するシステムの別の実施例を示す。
【図７】運動ユニットとしてのシステムのさらに別の実施形態を示す。
【発明を実施するための形態】
【００２８】
図１は本発明にかかる生体の身体活動の総時間を調節するための方法１００を示す。方法は身体活動パラメータを心拍数（ＨＲ）として説明されている。図１の方法ステップは図２及び図３と関連してさらに説明されている。
【００２９】
方法１００はＨＲに対応するターゲット情報を受信することによりＳ１で開始する。ターゲット情報はユーザが運動中に維持する必要がある設定目標、例えば１５０拍／分（ｂｐｍ）として定義される。ターゲット情報は図２に示す表１の列１に描かれる。オプションとしてＳ０において方法は、ユーザがランニングなどの身体活動を行いながら測定したい身体活動パラメータの選択も提供する。身体活動パラメータの様々な他の例は、脈拍数、酸素消費量、呼吸数、速度、及びパワーを含むがそれらに限定されない。
【００３０】
Ｓ２において、身体活動の総時間が受信される。例えば３０分、すなわち１８００秒。総時間は表１の列２に描かれる。総時間は複数の分散時間間隔の合計である。本発明の一実施形態において、各時間間隔は均等に分布する。現実施例では、１秒が均等分布間隔である。言い換えれば、１８００の均等分布する時間間隔がある。本発明の一実施形態では、ユーザが総時間を提供し得る。本発明の別の実施形態では、身体活動パラメータに対応する総時間が事前に規定され得る。本発明のなお別の実施形態では、各時間間隔は均等分布する必要がなく、例えば、時間間隔は０．５、１、及び３秒の組み合わせであり得る。
【００３１】
Ｓ３において、ＨＲに対応するゾーンが受信される。ゾーンは、カーディオゾーンともよばれ得るが、ゾーンの下限と上限により定義される。下限と上限はそれぞれ最小ＨＲ閾値と最大ＨＲ閾値に対応する。現実施例において、最小ＨＲ閾値は１４２．５ｂｐｍであり最大ＨＲ閾値は１５７．５ｂｐｍである。本発明の別の実施形態において、ゾーンは選択される身体活動パラメータに基づいて決定され得る。ＨＲパラメータの現実施例において、ゾーンはターゲットＨＲ及び既定の数学的範囲に基づいて決定され得る。例えば、既定の数学的範囲は５％であり得、受信されるターゲット情報（１５０ｂｐｍ）に基づき、上限と下限がそれぞれ１５７．５ｂｐｍ及び１４２．５ｂｐｍと決定される。
【００３２】
Ｓ４において、ユーザのＨＲ情報が受信される。本発明の一実施形態において、ＨＲ情報は各秒（表１の列０に描かれる）に対応して、すなわちリアルタイムに、身体活動中に受信される。言い換えれば、期間中１秒毎に、ＨＲ情報が受信される。例えば、１秒目にＨＲ情報は１４１ｂｐｍであり、２秒目にＨＲ情報は１４３ｂｐｍである。各秒に対応するＨＲ情報は表１の列３に描かれる。受信されたＨＲ情報（実線で描かれる）は図３でさらにグラフ表示される。図３の点線はカーディオゾーンをあらわす。
【００３３】
Ｓ５において、各秒は対応する受信されたＨＲ情報とターゲット情報に基づいて修正される。修正は次式により実行される：
修正時間間隔＝受信ＨＲ情報／ターゲットＨＲ情報
【００３４】
上記実施例を受け、１秒目に対する修正時間間隔は０．９４秒（１４１／１５０）であり、２秒目に対する修正時間間隔は０．９５秒（１４３／１５０）である。各秒に対応する修正間隔は表１の列４に描かれる。上記式はターゲット情報と受信された身体活動パラメータ情報との差に比例して時間間隔を修正することを目的とすることが明らかなはずである。
【００３５】
本発明の様々な実施形態において、対応する秒は受信ＨＲがターゲット情報から逸脱する場合に修正される。言い換えれば、入ってくるＨＲ情報が１５０ｂｐｍである場合、対応する秒は修正されない。従って、間隔は１秒のみとしてカウント／選択される。本発明の別の実施形態において、時間間隔はステップＳ３が実行されない場合であっても修正される。言い換えれば、時間間隔はターゲット情報から逸脱するいかなるＨＲ情報についても修正され得る。この実施形態において、ユーザはゾーン情報に関係なく運動するので、ステップ３はオプションになる。
【００３６】
Ｓ６において、修正時間間隔が身体活動パラメータ（ＨＲ）に対応するゾーン内にあるかどうかがチェックされる。現実施形態において、ゾーンは重み付き最大ＨＲ及び重み付き最小ＨＲで表現される。上記実施例を受け、ゾーンの上限は１．０５（１５７．５／１５０）でありゾーンの下限は０．９５（１４２．５／１５０）である。本発明の別の実施形態において、対応する秒は受信ＨＲ情報がゾーン内にある場合のみ修正される。さらに、ゾーンがＨＲ情報において直接表現されることもできることが当業者に明らかであり得る（すなわち１４２．２‐１５７．５ｂｐｍ）。
【００３７】
修正時間間隔、すなわち修正された秒がゾーン内にない場合、修正時間間隔はＳ７において破棄される。破棄される／追加計算のために考慮されない修正時間間隔は表１の列５において秒１、秒２３、秒２４及び秒２５に対応して描かれる。修正された秒はゼロ（０）とみなされる。本発明の別の実施形態において、間隔はＨＲ情報がカーディオゾーン内にある場合のみ修正され、それに従って追加計算のために使用される。
【００３８】
さらに、修正された秒がゾーン内にある場合、これはＳ８において新たな総時間の追加決定のために考慮される。新たな総時間は運動が完了されるべき残り時間ともよばれ得る。考慮される修正された秒は表１の列５に描かれる。さらに、新たな総時間は１７９９．０５（１８００−０．９５）であり表１の列７に描かれる。総時間から'１'秒の短縮の代わりに、期間は０．９５秒だけ短縮されることが観察され得る。かかる計算は各秒ごとに実行され、新たな総時間が毎秒計算される。表１において、新たな総時間は１８００秒の最初の２５秒だけ計算されることが理解され得る。さらに、最初の２５秒は今まで記載した方法に基づいて２１．７１秒と計算される。言い換えれば、２５秒の期間は３．２９秒だけ短縮される。同様に、身体活動の終了までに、ユーザは１８００秒ではなく、各秒に対応する受信されるＨＲに基づいてより少なく若しくはより多く運動し得る。言い換えれば、ＨＲがターゲットＨＲ以上であるとき、カウントダウンタイマはそのカウントを加速し、逆にＨＲがターゲットＨＲ以下であるとき、カウントダウンタイマはそのカウントを減速する。このように、現在の方法はユーザの各心拍に基づいて新たな総時間を計算する。
【００３９】
その後、Ｓ９において新たな総時間がユーザへ提供される。本発明の一実施形態において、新たな総時間は各規定間隔後にユーザへ提供され得る。例えば、毎１０秒後、新たな総時間がユーザへ提供される。本発明の別の実施形態では、新たな総時間がユーザへリアルタイムに提供される。期間がユーザへ提供される様々な方法は図４と併せて詳細に説明される。
【００４０】
フローチャートで点線内に描かれる方法ステップはオプションステップである（例えばＳ０，Ｓ３，Ｓ６，Ｓ７）。これらのステップは本発明の代替実施形態を成すことが理解され得る。さらに、Ｓ３及びＳ６などのステップは新たな総時間の全体の精度を改善するのに役立つ。
【００４１】
上記方法は、代替実施形態において、コンピュータ可読プログラムを実行するコンピュータ若しくはプログラマブルプロセッサが使用されるコンピュータ実装方法として具体化される。さらにコンピュータ可読プログラムは、ランダムアクセスメモリ（ＲＡＭ）、リードオンリーメモリ（ＲＯＭ）、ハードディスクドライブ、ソリッドステートドライブ、ＵＳＢフラッシュドライブ、メモリカードリーダを介してアクセスされるメモリカード、付随フロッピーディスクドライブを介してアクセスされるフロッピーディスク、光学ディスクドライブを介してアクセスされる光学ディスク、適切なテープドライブを介してアクセスされる磁気テープ、及び／又は他のメモリコンポーネント、或いはこれらメモリコンポーネントの任意の二つ以上の組み合わせなど、コンピュータプログラム製品で具体化される。加えて、ＲＡＭは例えばスタティックランダムアクセスメモリ（ＳＲＡＭ）、ダイナミックランダムアクセスメモリ（ＤＲＡＭ）、若しくは磁気ランダムアクセスメモリ（ＭＲＡＭ）及び他のかかるデバイスを含み得る。ＲＯＭは例えばプログラマブルリードオンリーメモリ（ＰＲＯＭ）、消去可能プログラマブルリードオンリーメモリ（ＥＰＲＯＭ）、電気的消去可能プログラマブルリードオンリーメモリ（ＥＥＰＲＯＭ）、若しくは別の同様のメモリデバイスを含み得る。コンピュータプログラム製品はコンピュータ、無線通信デバイス、若しくはポータブル電子デバイス上にインストールされ得るアプリケーション（ａｐｐ）であり得る。
【００４２】
図４は生体の身体活動の総時間を調節するための本発明にかかるシステム４００の一実施形態を示す。システム４００はインターフェース４０２、センサ４０４、処理ユニット４０６、メモリ４０８、及び情報ユニット４１０を含む。本発明の様々な実施形態においてシステム３００はユーザにごく接近する。
【００４３】
インターフェース４０２は身体活動パラメータに対応するターゲット情報を受信する。インターフェース４０２はさらに身体活動に対応する総時間を受信する。本発明の一実施形態において、インターフェース４０２は身体活動パラメータに対応するゾーンも受信する。ターゲット情報、総時間、ゾーンは図１と併せて詳細に説明されている。インターフェース４０２は一実施形態ではユーザから直接ターゲット情報と総時間を受信するユーザインターフェース（ＵＩ）である。ＵＩのいくつかの例はタッチスクリーン、プッシュボタン、及びグラフィカルユーザインターフェースを含むがそれらに限定されない。本発明の別の実施形態において、インターフェース４０２は、サーバ、無線通信デバイス上にインストールされるアプリケーション（ａｐｐ）、ユーザ／医療関係者のコンピュータなどのクライアントデバイス上で実行するブラウザなど、別のデバイスから直接ターゲット情報と総時間を受信する。本発明のなお別の実施形態において、身体活動パラメータに対応するターゲット情報と総時間は事前に規定され得る。
【００４４】
センサ４０４はユーザの身体活動パラメータ情報を検出／受信する。本発明の一実施形態において、センサ４０４はユーザの心拍数値／情報を検出するための心拍センサである。心拍センサの一例はフォトプレチスモグラフィ（ＰＰＧ）センサである。様々な他のセンサ４０４がユーザ選好に基づいて測定される必要がある身体活動パラメータのタイプに基づいて使用され得る。いくつかの例は脈拍センサ、呼吸センサ、Ｏ２センサ、速度センサ、パワー／強度センサを含むがそれらに限定されない。本発明の一実施形態において、上述のようなセンサ４０４の一つより多くが任意の組み合わせで使用され得る。ユーザはインターフェース４０２を介して身体活動パラメータのタイプを選択し、それに従って対応するセンサ４０４が身体活動情報を受信するために使用される。
【００４５】
処理ユニット４０６は受信された身体パラメータ情報を、例えばＨＲをターゲット情報と一緒に処理し、受信された身体パラメータ情報に対応して分散時間間隔を修正する。分散時間間隔の修正は上記図１のステップＳ０‐Ｓ５において詳細に説明されている。その後、処理ユニット４０６は修正時間間隔がゾーン内にあるかどうかチェックする。続いて、チェックに基づき、処理ユニット４０６は修正時間間隔と総時間に基づいて新たな総時間を計算／決定する。本発明の代替実施形態において、処理ユニット４０６は受信された身体パラメータ情報がゾーン内にある場合に分散時間間隔を修正する。さらに、処理ユニット４０６は新たな総時間を決定／計算するために上記ステップＳ６‐Ｓ８を実行する。処理ユニット４０６は残り時間（新たな総時間）をカウントダウンするために時計（図に描かれない）を含み得ることが当業者に明らかであり得る。本発明の別の実施形態において、時計はシステム４００における個別モジュールであり得る。
【００４６】
本発明の別の実施形態において、処理ユニット４０６はユーザにより選ばれる身体パラメータに対応するゾーンを決定する。かかる決定は図１と併せて上述されている。さらに、システム４００はターゲット情報、総時間、ゾーン及び異なるタイプの身体活動パラメータに対応するかかる既定範囲を保存するメモリ４０８を含む。さらに、メモリ４０８は新たな総時間の計算のために処理ユニット４０６により実行可能な命令（Ｓ１‐Ｓ９）を保存し得る。システム４００の代替実施形態において、メモリ４１２は（全体若しくは一部として）、クラウドサーバアーキテクチャ（点線で描かれる）などシステム４００外にあることもでき、ネットワーク４１４を介してアクセスされ得る。
【００４７】
本明細書で使用されるメモリ４０８／４１２という語は、揮発性及び／又は不揮発性メモリ及びデータストレージコンポーネントの両方を含み得る。揮発性コンポーネントは電力損失時にデータ値を保持しないものである。不揮発性コンポーネントは電力損失時にデータを保持するものである。従って、メモリは、例えばランダムアクセスメモリ（ＲＡＭ）、リードオンリーメモリ（ＲＯＭ）、ハードディスクドライブ、ソリッドステートドライブ、及び／又は他のメモリコンポーネント、又はこれらメモリコンポーネントの任意の二つ以上の組み合わせを含み得る。加えて、ＲＡＭは例えばスタティックランダムアクセスメモリ（ＳＲＡＭ）、ダイナミックランダムアクセスメモリ（ＤＲＡＭ）、若しくは磁気ランダムアクセスメモリ（ＭＲＡＭ）及び他のかかるデバイスを含み得る。ＲＯＭは例えばプログラマブルリードオンリーメモリ（ＰＲＯＭ）、消去可能プログラマブルリードオンリーメモリ（ＥＰＲＯＭ）、電気的消去可能プログラマブルリードオンリーメモリ（ＥＥＰＲＯＭ）、別の同様のメモリデバイスを含み得る。ストレージユニット２０４はコンピュータ可読媒体である。
【００４８】
本明細書で使用される処理ユニットという語は、いかなるタイプのコントローラ若しくはプロセッサであってもよく、本明細書で述べた機能を実行するように適応される一つ以上のコントローラ若しくはプロセッサとして具体化され得る。付加的に、プロセッサという語が本明細書で使用される際、プロセッサは単一集積回路（ＩＣ）の使用を含み得るか、或いは、コントローラ、マイクロプロセッサ、デジタル信号プロセッサ、並列プロセッサ、マルチコアプロセッサ、カスタムＩＣ、特定用途向け集積回路、フィールドプログラマブルゲートアレイ、適応的計算ＩＣ、限定されないがＲＡＭ、ＤＲＡＭ及びＲＯＭなどの付随メモリ、及び他のＩＣとコンポーネントなど、一緒に接続され、配置され、若しくはグループ化される複数の集積回路若しくは他のコンポーネントの使用を含み得る。
【００４９】
計算された新たな総時間は情報ユニット４１０によりユーザへ提供される。本発明の一実施形態において、情報ユニット４１０はディスプレイユニット、オーディオユニット、触覚ユニット若しくはそれらの組み合わせの一つである。情報ユニット４１０は例えばディスプレイを用いて、ユーザが運動する必要がある残り時間も表示し得る。付加的に、カーディオゾーンにおいて費やされた現在時間も同時に表示され得る。情報ユニット４１０はユーザの様々な運動セッションに関し、好適にはグラフ、表などを用いて解析情報も提供し得る。
【００５０】
上記システム４００は手首、胸部などのウェアラブルデバイスとして具体化され得る。図５はリストバンドデバイスの形のウェアラブルデバイス５００の一実施例を示す。かかるウェアラブルデバイス５００はユーザと直接インタラクションしてゾーンを受信し、新たな総時間を提供し得る。しかしながら、ウェアラブルデバイス５００は図６に描く通りネットワーク７００を介して無線通信デバイス６００にインストールされるａｐｐを介して同時にインタラクションしてもよい。このように、ａｐｐはゾーンを受信し、その後ウェアラブルデバイス５００へゾーン（情報）を送信する。その後、ウェアラブルデバイス５００は、ａｐｐ内のフォーム表示、オーディオ表示、触覚フィードバックなどでのユーザへの追加表示のために計算された期間をａｐｐへ送信する。本発明のなお別の実施形態において、ウェアラブルデバイス５００はセンサ４０４のみを含み、対応する情報は追加計算のために無線通信デバイス６００上のａｐｐへネットワーク７００を介して送信され得る。本発明のなお別の実施形態において、システム４００はトレッドミル８００などの運動ユニットへ統合され得る（図７）。さらに、トレッドミル８００はユーザの身体活動パラメータ情報、例えば速度の受信を可能にする少なくとも一つのセンサ４０４（有線／無線）を含む。さらに、かかるセンサ４０４はユーザの心拍数も測定し得る。トレッドミル８００はユーザへ新たな総時間を提供する情報ユニット４１０をさらに含む。トレッドミル８００が図７に描かれないシステム４００の他のシステムコンポーネントをさらに含むことが当業者に明らかであり得る。さらに、トレッドミル８００は無線通信デバイス６００ともインタラクションし得る。本発明の範囲から逸脱することなく上記の様々な組み合わせが可能であることが当業者に明らかであり得る。
【００５１】
無線通信デバイス６００の様々な例は、モバイルデバイス、携帯電話、スマートフォン、音楽プレーヤ、ウェブパッド、タブレットコンピュータシステム、若しくは同様の性能を持つ他のデバイスを含むがそれらに限定されない。
【００５２】
ネットワーク７００／４１４の様々な例は、インターネット、イントラネット、エクストラネット、有線ネットワーク、無線ネットワーク、ワイドエリアネットワーク（ＷＡＮ）、ローカルエリアネットワーク（ＬＡＮ）、若しくは他の適切なネットワークなど、又は二つ以上のかかるネットワークの任意の組み合わせを含むがそれらに限定されない。
【００５３】
本発明の範囲は上述の実施例に限定されず、その複数の補正及び修正が添付の請求項に記載の本発明の範囲から逸脱することなく可能であることが当業者に明らかであろう。本発明は図面と説明において詳細に図示され記載されているが、かかる図面と記載は説明若しくは例示に過ぎず限定ではないとみなされるものとする。本発明は開示の実施形態に限定されない。
【００５４】
開示の実施形態への変更は、図面、記載及び添付の請求項の考察から、請求される発明を実施する上で当業者により理解されもたらされることができる。請求項において、"有する"という語は他のステップ若しくは要素を除外せず、不定冠詞"ａ"若しくは"ａｎ"は複数を除外しない。所定の手段が相互に異なる従属請求項に列挙されるという単なる事実はこれら手段の組み合わせが有利に使用されることができないことを示さない。請求項における任意の参照符号は本発明の範囲を限定するものと解釈されるべきではない。
【図１】
2018505719.tif 000003
【図２】
2018505719.tif 000004
【図３】
2018505719.tif 000005
【図４】
2018505719.tif 000006
【図５】
2018505719.tif 000007
【図６】
2018505719.tif 000008
【図７】
2018505719.tif 000009
【国際調査報告】
2018505719.tif 000010
2018505719.tif 000011
2018505719.tif 000012